(57)【要約】【課題】ＬＴＥ-Ａｄｖａｎｃｅｄ方式において同期ＨＡＲＱ制御を適用する。【解決手段】本発明に係るリレーノードＲＮは、無線基地局ＤｅＮＢと間のＲＲＣコネクション設定処理において、無線基地局ＤｅＮＢから、設定情報を取得するように構成されているＭＢＳＦＮサブフレーム設定情報取得部１１と、第１期間において、移動局ＵＥから上りリンク信号を受信し、取得した設定情報に基づいて、ＭＢＳＦＮサブフレームにおいて、無線基地局ＤｅＮＢから下りリンク信号を受信するように構成されている受信部１４と、第２期間において、移動局ＵＥに対して下りリンク信号を送信するように構成されている送信部１３とを具備し、送信部１３及び受信部１４は、第１期間及び第２期間を、交互に切り替え、同期ＨＡＲＱ制御のＲＴＴの半分とするように構成されている。【選択図】図２
2011193246.tif 000002
【特許請求の範囲】
【請求項１】
リレーノードと移動局との間及び該リレーノードと無線基地局の間で同期ＨＡＲＱ制御を行う移動通信方法であって、
前記リレーノードが、前記無線基地局から、所定数のサブフレームによって構成される第１期間内の所定サブフレームの設定位置を示す設定情報を取得する工程と、
前記リレーノードが、前記第１期間において、前記移動局から上りリンク信号を受信する工程と、
前記リレーノードが、前記設定情報に基づいて、前記所定サブフレームにおいて、前記無線基地局から下りリンク信号を受信する工程と、
前記リレーノードが、前記所定数のサブフレームからなる第２期間において、前記移動局に対して下りリンク信号を送信する工程とを有し、
前記リレーノードと前記移動局との間のリンクにおいて、前記第１期間及び前記第２期間は、交互に切り替わり、前記同期ＨＡＲＱ制御のＲＴＴの半分となるように設定されていることを特徴とする移動通信方法。
【請求項２】
前記リレーノードは、前記無線基地局と間のコネクション設定処理において、該無線基地局から、前記設定情報を取得することを特徴とする請求項１に記載の移動通信方法。
【請求項３】
前記上りリンク信号は、上りリンクデータ及び下りリンクデータに対する送達確認情報であり、
前記下りリンク信号は、下りリンクデータ、リソース割り当て信号及び上りリンクデータに対する送達確認情報であることを特徴とする請求項１に記載の移動通信方法。
【請求項４】
前記リレーノードが、前記無線基地局から上りリンク用の前記リソース割り当て信号を受信した時点から前記所定数のサブフレームに対応する時間だけ経過した後に、該無線基地局に対して前記上りリンクデータを送信する工程と、
前記移動局が、前記リレーノードから上りリンク用の前記リソース割り当て信号を受信した時点から前記所定数のサブフレームに対応する時間だけ経過した後に、該リレーノードに対して前記上りリンクデータを送信する工程とを有することを特徴とする請求項３に記載の移動通信方法。
【請求項５】
前記第１期間の長さ及び前記第２期間の長さの少なくとも一方は、任意に設定され得ることを特徴とする請求項１に記載の移動通信方法。
【請求項６】
移動局及び無線基地局との間で同期ＨＡＲＱ制御を行うように構成されているリレーノードであって、
前記無線基地局から、所定数のサブフレームによって構成される第１期間内の所定サブフレームの設定位置を示す設定情報を取得するように構成されている取得部と、
前記第１期間において、前記移動局から上りリンク信号を受信し、前記設定情報に基づいて、前記所定サブフレームにおいて、前記無線基地局から下りリンク信号を受信するように構成されている受信部と、
前記所定数のサブフレームからなる第２期間において、前記移動局に対して下りリンク信号を送信するように構成されている送信部とを具備し、
前記送信部及び前記受信部は、前記リレーノードと前記移動局との間のリンクにおいて、前記第１期間及び前記第２期間を、交互に切り替え、前記同期ＨＡＲＱ制御のＲＴＴの半分とするように構成されていることを特徴とするリレーノード。
【請求項７】
前記取得部は、前記無線基地局と間のコネクション設定処理において、該無線基地局から、前記設定情報を取得するように構成されていることを特徴とする請求項６に記載のリレーノード。
【請求項８】
前記上りリンク信号は、上りリンクデータ及び下りリンクデータに対する送達確認情報であり、
前記下りリンク信号は、下りリンクデータ、リソース割り当て信号及び上りリンクデータに対する送達確認情報であることを特徴とする請求項６に記載のリレーノード。
【請求項９】
前記送信部は、前記無線基地局から上りリンク用の前記リソース割り当て信号を受信した時点から前記所定数のサブフレームに対応する時間だけ経過した後に、該無線基地局に対して前記上りリンクデータを送信するように構成されていることを特徴とする請求項８に記載のリレーノード。
【発明の詳細な説明】
【技術分野】
【０００１】
本発明は、移動通信方法及びリレーノードに関する。
【背景技術】
【０００２】
ＬＴＥ（Ｌｏｎｇ  Ｔｅｒｍ  Ｅｖｏｌｕｔｉｏｎ）方式の後継方式であるＬＴＥ-Ａｄｖａｎｃｅｄ方式では、無線基地局ＤｅＮＢ（Ｄｏｎｏｒ-ｅＮＢ）とリレーノードＲＮ（Ｒｅｌａｙ  Ｎｏｄｅ）との間のバックホールリンク（Ｂａｃｋｈａｕｌ  Ｌｉｎｋ）と、リレーノードＲＮと移動局ＵＥ（Ｕｓｅｒ  Ｅｑｕｉｐｍｅｎｔ）との間のアクセスリンク（Ａｃｃｅｓｓ  Ｌｉｎｋ）を同じ周波数で運用する場合に、バックホールリンクとアクセスリンクとの間で、リソースパーティションを実現するために、ＭＢＳＦＮ（ＭＢＭＳ  Ｓｉｎｇｌｅ  Ｆｒｅｑｕｅｎｃｙ  Ｎｅｔｗｏｒｋ）サブフレームを用いることが合意されている。
【０００３】
具体的には、図６に示すように、バックホールリンクでは、無線基地局ＤｅＮＢは、ＭＢＳＦＮサブフレームとして設定されているサブフレーム（図６の例では、サブフレーム＃１/＃２/＃６/＃７）において、下りリンク信号を送信することができるように構成されている。
【０００４】
図６の例では、無線基地局ＤｅＮＢは、ＭＢＳＦＮサブフレームとして設定されているサブフレーム＃１において、リレーノードＲＮに対して、上りリンク用のリソース割り当て信号（ＵＧ：ＵＬ  ｇｒａｎｔ）を送信している。
【０００５】
一方、アクセスリンクでは、リレーノードＲＮは、ＭＢＳＦＮサブフレームとして設定されているサブフレーム以外のサブフレーム（図６の例では、サブフレーム＃０/＃３/＃４/＃５/＃８/＃９）において、移動局ＵＥに対して、下りリンク信号を送信することができるように構成されている。
【０００６】
図６の例では、リレーノードＲＮは、ＭＢＳＦＮサブフレームとして設定されているサブフレーム以外のサブフレーム＃９において、移動局ＵＥに対して、下りリンクデータ（Ｄ）を送信している。
【先行技術文献】
【非特許文献】
【０００７】
【非特許文献１】３ＧＰＰ寄書、Ｒ２-０９６７６２「ＨＡＲＱ  Ｏｐｅｒａｔｉｏｎ  ｆｏｒ  Ｒｅｌａｙｉｎｇ」、Ｅｒｉｃｓｓｏｎ及びＳＴ-ｒｉｃｓｓｏｎ
【非特許文献２】３ＧＰＰ  ＴＲ３６．９１２「Ｆｅａｓｉｂｉｌｉｔｙ  ｓｔｕｄｙ  ｆｏｒ  Ｆｕｒｔｈｅｒ  Ａｄｖａｎｃｅｍｅｎｔｓ  ｆｏｒ  Ｅ-ＵＴＲＡ（ＬＴＥ-Ａｄｖａｎｃｅｄ）」２００９年１２月
【発明の概要】
【発明が解決しようとする課題】
【０００８】
しかしながら、ＬＴＥ-Ａｄｖａｎｃｅｄ方式では、ＭＢＳＦＮサブフレームとして設定可能なサブフレームは、サブフレーム＃１/＃２/＃３/＃６/＃７/＃８と限られている。
【０００９】
また、ＬＴＥ-Ａｄｖａｎｃｅｄ方式では、バックホールリンク及びアクセスリンクにおいて、同期ＨＡＲＱ（Ｓｙｎｃｈｒｏｎｏｕｓ  Ｈｙｂｒｉｄ  ＡＲＱ）制御が適用されることが合意されている。
【００１０】
したがって、ＬＴＥ（Ｒｅｌ-８）方式で用いられているＨＡＲＱ制御のＲＴＴ（Ｒｏｕｎｄ  Ｔｒｉｐ  Ｔｉｍｅ）を用いて、上述のようなＬＴＥ-Ａｄｖａｎｃｅｄ方式の構成を実現できない可能性があるという問題点があった。
【００１１】
そこで、本発明は、上述の課題に鑑みてなされたものであり、同期ＨＡＲＱ制御を適用した場合であっても、上述のようなリソースパーティションを実現することができる移動通信方法及びリレーノードを提供することを目的とする。
【課題を解決するための手段】
【００１２】
本発明の第１の特徴は、リレーノードと移動局との間及び該リレーノードと無線基地局の間で同期ＨＡＲＱ制御を行う移動通信方法であって、前記リレーノードが、前記無線基地局との間のコネクション設定処理において、該無線基地局から、所定数のサブフレームによって構成される第１期間内の所定サブフレームの設定位置を示す設定情報を取得する工程と、前記リレーノードが、前記第１期間において、前記移動局から上りリンク信号を受信する工程と、前記リレーノードが、前記設定情報に基づいて、前記所定サブフレームにおいて、前記無線基地局から下りリンク信号を受信する工程と、前記リレーノードが、前記所定数のサブフレームからなる第２期間において、前記移動局に対して下りリンク信号を送信する工程とを有し、前記リレーノードと前記移動局との間のリンクにおいて、前記第１期間及び前記第２期間は、交互に切り替わり、前記同期ＨＡＲＱ制御のＲＴＴの半分となるように設定されていることを要旨とする。
【００１３】
本発明の第２の特徴は、移動局及び無線基地局との間で同期ＨＡＲＱ制御を行うように構成されているリレーノードであって、前記無線基地局と間のコネクション設定処理において、該無線基地局から、所定数のサブフレームによって構成される第１期間内の所定サブフレームの設定位置を示す設定情報を取得するように構成されている取得部と、前記第１期間において、前記移動局から上りリンク信号を受信し、前記設定情報に基づいて、前記所定サブフレームにおいて、前記無線基地局から下りリンク信号を受信するように構成されている受信部と、前記所定数のサブフレームからなる第２期間において、前記移動局に対して下りリンク信号を送信するように構成されている送信部とを具備し、前記送信部及び前記受信部は、前記リレーノードと前記移動局との間のリンクにおいて、前記第１期間及び前記第２期間を、交互に切り替え、前記同期ＨＡＲＱ制御のＲＴＴの半分とするように構成されていることを要旨とする。
【発明の効果】
【００１４】
以上説明したように、本発明によれば、同期ＨＡＲＱ制御を適用した場合であっても、上述のようなリソースパーティションを実現することができる移動通信方法及びリレーノードを提供することができる。
【図面の簡単な説明】
【００１５】
【図１】本発明の第１の実施形態に係る移動通信システムの全体構成図である。
【図２】本発明の第１の実施形態に係る移動通信システムにおける無線基地局とリレーノードと移動局との間の送受信タイミングを説明するための図である。
【図３】本発明の第１の実施形態に係るリレーノードの機能ブロック図である。
【図４】本発明の第１の実施形態に係る無線基地局の機能ブロック図である。
【図５】本発明の第１の実施形態に係る移動通信システムの動作を示すシーケンス図である。
【図６】従来の移動通信システムにおける無線基地局とリレーノードとの間の送受信タイミングを説明するための図である。
【発明を実施するための形態】
【００１６】
（本発明の第１の実施形態に係る移動通信システムの構成）
図１乃至図４を参照して、本発明の第１の実施形態に係る移動通信システムの構成について説明する。
【００１７】
本実施形態に係る移動通信システムは、ＬＴＥ-Ａｄｖｅｎｃｅｄ方式の移動通信システムであって、図１に示すように、無線基地局ＤｅＮＢと、リレーノードＲＮとを具備している。
【００１８】
ここで、無線基地局ＤｅＮＢとリレーノードＲＮとの間のリンクを「バックホールリンク（Ｕｎインターフェイスリンク）」と呼び、移動局ＵＥとリレーノードＲＮとの間のリンクを「アクセスリンク（Ｕｕインターフェイスリンク）」と呼ぶ。
【００１９】
また、本実施形態に係る移動通信システムでは、バックホールリンク及びアクセスリンクにおいて、同期ＨＡＲＱ制御が適用されるように構成されている。なお、本実施形態に係る移動通信システムにおいて、バックホールリンクでは、同期ＨＡＲＱ制御が適用されないように構成されていてもよい。
【００２０】
図２に示すように、本実施形態に係る移動通信システムでは、４個（所定数）のサブフレーム（図２の例では、サブフレーム＃４乃至＃７）によって構成される第１期間Ａ（４ｍｓ）において、移動局ＵＥが、リレーノードＲＮに対して、上りリンク信号、例えば、上りリンクデータ（Ｕ）や下りリンクデータに対する送達確認情報ＡＣＫ/ＮＡＣＫ（ＵＡＮ）を送信することができるように構成されている。
【００２１】
また、本実施形態に係る移動通信システムでは、４個（所定数）のサブフレーム（図２の例では、サブフレーム＃０乃至＃３、又は、サブフレーム＃８乃至＃１）によって構成される第２期間Ｂ（４ｍｓ）において、リレーノードＲＮが、移動局ＵＥに対して、下りリンク信号、例えば、下りリンクデータ（Ｄ）や、上りリンクデータ及び下りリンクデータの送信のためのリソース割り当て信号（ＵＧ/ＤＡ）や、上りリンクデータに対する送達確認情報ＡＣＫ/ＮＡＣＫ（ＤＡＮ）を送信することができるように構成されている。
【００２２】
また、本実施形態に係る移動通信システムでは、アクセスリンクにおいて、ＬＴＥ（Ｒｅｌ-８）方式で用いられているＨＡＲＱ制御のＲＴＴ（８ｍｓ）との整合性を保つことができるように、第１期間Ａ及び第２期間Ｂが交互に切り替わるように構成されている、すなわち、４ｍｓ周期で、上りリンク信号の送信及び下りリンク信号の送信が交互に切り替わるように構成されている。
【００２３】
ここで、第１期間Ａ及び第２期間Ｂは、４ｍｓ、すなわち、ＬＴＥ（Ｒｅｌ-８）方式で用いられているＨＡＲＱ制御のＲＴＴ（８ｍｓ）の半分となるように構成されている。なお、第１期間Ａ及び第２期間Ｂは、４ｍｓ以外であってもよく、第１期間Ａ及び第２期間Ｂの長さは、任意に設定され得るように構成されていてもよい。
【００２４】
また、各サブフレームにおいて、上りリンク信号の送信及び下りリンク信号の送信の一方が行われるように設定されていてもよいし、上りリンク信号の送信及び下りリンク信号の送信の両方が行われるように設定されていてもよい。
【００２５】
また、本実施形態に係る移動通信システムでは、ＭＢＳＦＮサブフレームは、ＭＢＳＦＮサブフレームとして設定可能なサブフレーム＃１/＃２/＃３/＃６/＃７/＃８のうち、第１期間Ａを構成するサブフレーム（図２の例では、サブフレーム＃６/＃７）において設定可能である。
【００２６】
例えば、本実施形態に係る移動通信システムでは、所定単位（例えば、１０ｍｓ単位や４０ｍｓ単位）で、ＭＢＳＦＮサブフレームの設定位置（設定パターン）を決定することができる。
【００２７】
ここで、無線基地局ＤｅＮＢは、設定されているＭＢＳＦＮサブフレームにおいて、リレーノードＲＮに対して、下りリンク信号例えば、下りリンクデータ（Ｄ）や、上りリンクデータ及び下りリンクデータの送信のためのリソース割り当て信号（ＵＧ/ＤＡ）や、上りリンクデータに対する送達確認情報ＡＣＫ／ＮＡＣＫ（ＤＡＮ）を送信することができるように構成されている。
【００２８】
図３に示すように、リレーノードＲＮは、ＭＢＳＦＮサブフレーム設定情報取得部１１と、ＭＢＳＦＮサブフレーム設定部１２と、送信部１３と、受信部１４とを具備している。
【００２９】
ＭＢＳＦＮサブフレーム設定情報取得部１１は、無線基地局ＤｅＮＢから、第１期間Ａ内のＭＢＳＦＮサブフレームの設定位置を示す設定情報を取得するように構成されている。
【００３０】
例えば、ＭＢＳＦＮサブフレーム設定情報取得部１１は、無線基地局ＤｅＮＢと間のＲＲＣ（Ｒａｄｉｏ  Ｒｅｓｏｕｒｃｅ  Ｃｏｎｔｒｏｌ）コネクション設定処理（すなわち、リレーノードＲＮの無線基地局ＤｅＮＢに対する接続処理）において、かかる設定情報を取得するように構成されていてもよい。
【００３１】
具体的には、ＭＢＳＦＮサブフレーム設定情報取得部１１は、任意のタイミングで、無線基地局ＤｅＮＢによって送信される「ＲＲＣ  Ｃｏｎｎｅｃｔｉｏｎ  Ｒｅｃｏｎｆｉｇｕｒａｔｉｏｎ」等のＲＲＣシグナリングを介して、かかる設定情報を取得するように構成されていてもよい。
【００３２】
ＭＢＳＦＮサブフレーム設定部１２は、ＭＢＳＦＮサブフレーム設定情報取得部１１によって取得された設定情報に基づいて、バックホールリンクにおいて、ＭＢＳＦＮサブフレームを設定するように構成されている。
【００３３】
送信部１３は、無線基地局ＤｅＮＢに対して、上りリンク信号、例えば、上りリンクデータ（Ｕ）や、下りリンクデータに対する送達確認情報ＡＣＫ/ＮＡＣＫ（ＵＡＮ）を送信するように構成されている。
【００３４】
具体的には、送信部１３は、無線基地局ＤｅＮＢから上りリンクデータ送信用リソース割り当て信号（ＵＧ）を受信した時点から４ｍｓ後に、無線基地局ＤｅＮＢに対して、上りリンクデータ（Ｕ）を送信するように構成されている。
【００３５】
ここで、バックホールリンクにおいて同期ＨＡＲＱ制御が適用されている場合、送信部１３は、無線基地局ＤｅＮＢから下りリンクデータ（Ｄ）を受信した時点から４ｍｓ後に、無線基地局ＤｅＮＢに対して、下りリンクデータに対する送達確認情報ＡＣＫ/ＮＡＣＫ（ＵＡＮ）を送信するように構成されている。
【００３６】
また、送信部１３は、移動局ＵＥに対して、下りリンク信号、例えば、下りリンクデータ（Ｄ）や、上りリンクデータ及び下りリンクデータの送信のためのリソース割り当て信号（ＵＧ/ＤＡ）や、上りリンクデータに対する送達確認情報ＡＣＫ/ＮＡＣＫ（ＤＡＮ）を送信することができるように構成されている。
【００３７】
ここで、アクセスリンクにおいて同期ＨＡＲＱ制御が適用されている場合、送信部１３は、移動局ＵＥから上りリンクデータ（Ｕ）を受信した時点から４ｍｓ後に、移動局ＵＥに対して、上りリンクデータに対する送達確認情報ＡＣＫ/ＮＡＣＫ（ＤＡＮ）を送信するように構成されている。
【００３８】
受信部１４は、無線基地局ＤｅＮＢから、下りリンク信号、例えば、下りリンクデータ（Ｄ）や、上りリンクデータ及び下りリンクデータの送信のためのリソース割り当て信号（ＵＧ/ＤＡ）や、上りリンクデータに対する送達確認情報ＡＣＫ/ＮＡＣＫ（ＤＡＮ）を送信するように構成されている。
【００３９】
また、受信部１４は、移動局ＵＥから、上りリンク信号、例えば、上りリンクデータ（Ｕ）や下りリンクデータに対する送達確認情報ＡＣＫ/ＮＡＣＫ（ＵＡＮ）を受信するように構成されている。
【００４０】
また、図４に示すように、無線基地局ＤｅＮＢは、ＭＢＳＦＮサブフレーム設定部２１と、ＭＢＳＦＮサブフレーム設定情報通知部２２と、送信部２３と、受信部２４とを具備している。
【００４１】
ＭＢＳＦＮサブフレーム設定部２１は、バックホールリンクにおいて、ＭＢＳＦＮサブフレームを設定するように構成されている。
【００４２】
ＭＢＳＦＮサブフレーム設定情報通知部２２は、リレーノードＲＮに対して、第１期間Ａ内のＭＢＳＦＮサブフレームの設定位置を示す設定情報を通知するように構成されている。
【００４３】
例えば、ＭＢＳＦＮサブフレーム設定情報通知部２２は、リレーノードＲＮと間のＲＲＣコネクション設定処理において、リレーノードＲＮに対して、かかる設定情報を通知するように構成されていてもよい。
【００４４】
具体的には、ＭＢＳＦＮサブフレーム設定情報通知部２２は、任意のタイミングで、リレーノードＲＮに対して「ＲＲＣ  Ｃｏｎｎｅｃｔｉｏｎ  Ｒｅｃｏｎｆｉｇｕｒａｔｉｏｎ」等のＲＲＣシグナリングによって、かかる設定情報を通知するように構成されていてもよい。
【００４５】
送信部２３は、下りリンク信号、例えば、下りリンクデータ（Ｄ）や、上りリンクデータ及び下りリンクデータの送信のためのリソース割り当て信号（ＵＧ/ＤＡ）や、上りリンクデータに対する送達確認情報ＡＣＫ/ＮＡＣＫ（ＤＡＮ）を送信することができるように構成されている。
【００４６】
ここで、バックホールリンクにおいて同期ＨＡＲＱ制御が適用されている場合、送信部２３は、リレーノードＲＮから上りリンクデータ（Ｕ）を受信した時点から４ｍｓ後に、リレーノードＲＮに対して、上りリンクデータに対する送達確認情報ＡＣＫ/ＮＡＣＫ（ＤＡＮ）を送信するように構成されている。
【００４７】
受信部２４は、リレーノードＲＮから、上りリンク信号、例えば、上りリンクデータ（Ｕ）や下りリンクデータに対する送達確認情報ＡＣＫ/ＮＡＣＫ（ＵＡＮ）を受信するように構成されている。
【００４８】
（本発明の第１の実施形態に係る移動通信システムの動作）
図５を参照して、本実施形態に係る移動通信システムにおけるリレーノードＲＮと無線基地局ＤｅＮＢとの間のＲＲＣコネクション設定処理の一例について説明する。
【００４９】
図５に示すように、ステップＳ１００１において、リレーノードＲＮは、無線基地局ＤｅＮＢに対して、「Ｅｓｔａｂｌｉｓｈｍｅｎｔ  Ｃａｕｓｅ」によって「ＲＮであること」を通知する「ＲＲＣ  Ｃｏｎｎｅｃｔｉｏｎ  Ｒｅｑｕｅｓｔ」を送信する。
【００５０】
ステップＳ１００２において、無線基地局ＤｅＮＢは、リレーノードＲＮに対して、「ＲＲＣ  Ｃｏｎｎｅｃｔｉｏｎ  Ｓｅｔｕｐ」を送信し、ステップＳ１００３において、リレーノードＲＮは、無線基地局ＤｅＮＢに対して、「Ａｔｔａｃｈ  Ｒｅｑｕｅｓｔ」を含む「ＲＲＣ  Ｃｏｎｎｅｃｔｉｏｎ  Ｓｅｔｕｐ  Ｃｏｍｐｌｅｔｅ」を送信する。
【００５１】
ステップＳ１００４において、無線基地局ＤｅＮＢは、上位ノード（例えば、交換局ＭＭＥ（Ｍｏｂｉｌｉｔｙ  Ｍａｎａｇｅｍｅｎｔ  Ｅｎｔｉｔｙ）等）に対して、「Ｉｔｉｎｉａｌ  ＵＥ  Ｍｅｓｓａｇｅ」を送信し、ステップＳ１００５において、「Ａｕｔｈｅｎｔｉｃａｔｉｏｎ/Ｓｅｃｕｒｉｔｙ」処理が行われる。
【００５２】
無線基地局ＤｅＮＢは、ステップＳ１００６において、上位ノードから、「Ａｔｔａｃｈ  Ａｃｃｅｐｔ」を含む「Ｉｎｉｔｉａｌ  Ｃｏｎｔｅｘｔ  Ｓｅｔｕｐ  Ｒｅｑｕｅｓｔ」を受信し、ステップＳ１００７において、リレーノードＲＮに対して、「ＲＲＣ  ＲＮ（ＵＥ）  Ｃａｐａｂｉｌｉｔｙ  Ｅｎｑｕｉｒｙ」を送信する。
【００５３】
無線基地局ＤｅＮＢは、ステップＳ１００８において、リレーノードＲＮから、「ＲＲＣ  ＲＮ（ＵＥ）  Ｃａｐａｂｉｌｉｔｙ  Ｉｎｆｏｒｍａｔｉｏｎ」を受信し、ステップＳ１００９において、上位ノードに対して、「ＲＮ（ＵＥ）  Ｃａｐａｂｉｌｉｔｙ  Ｉｎｆｏ  Ｉｎｄｉｃａｔｉｏｎ」を送信する。
【００５４】
無線基地局ＤｅＮＢは、リレーノードＲＮに対して、ステップＳ１０１０において、「Ｓｅｃｕｒｉｔｙ  Ｍｏｄｅ  Ｃｏｍｍａｎｄ」を送信し、ステップＳ１０１１において、「Ａｔｔａｃｈ  Ａｃｃｅｐｔ」を含む「ＲＲＣ  Ｃｏｎｎｅｃｔｉｏｎ  Ｒｅｃｏｎｆｉｇｕｒａｔｉｏｎ」を送信する。
【００５５】
ここで、無線基地局ＤｅＮＢは、リレーノードＲＮに対して、「ＲＲＣ  Ｃｏｎｎｅｃｔｉｏｎ  Ｒｅｃｏｎｆｉｇｕｒａｔｉｏｎ」によって、第１期間Ａ内のＭＢＳＦＮサブフレームの設定位置を示す設定情報を通知することができる。
【００５６】
リレーノードＲＮは、無線基地局ＤｅＮＢに対して、ステップＳ１０１２において、「Ｓｅｃｕｒｉｔｙ  Ｍｏｄｅ  Ｃｏｍｐｌｅｔｅ」を送信し、ステップＳ１０１３において、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する。
【００５７】
ステップＳ１０１４において、無線基地局ＤｅＮＢは、上位ノードに対して、「Ｉｎｉｔｉａｌ  Ｃｏｎｔｅｘｔ  Ｓｅｔｕｐ  Ｒｅｓｐｏｎｓｅ」を送信し、ステップＳ１０１５において、リレーノードＲＮは、上位ノードに対して、「Ａｔｔａｃｈ  Ｃｏｍｐｌｅｔｅ」を送信する。
【００５８】
（本発明の第１の実施形態に係る移動通信システムの作用・効果）
本実施形態に係る移動通信システムによれば、バックホールリンクにおいて下りリンク信号が送信されるＭＢＳＦＮサブフレームが、アクセスリンクにおいて下りリンク信号が送信されない第１期間Ａ内で設定されるように構成されており、リレーノードＲＮが、無線基地局ＤｅＮＢから、かかるＭＢＳＦＮサブフレームの設定位置を取得するように構成されており、第１期間Ａ及び第２期間が、ＬＴＥ（Ｒｅｌ-８）方式で用いられている同期ＨＡＲＱ制御のＲＴＴ（例えば、８ｍｓ）の半分の期間（４ｍｓ）で交互に切り替わるように構成されているため、上述のリソースパーティションを可能にしつつ、ＬＴＥ-Ａｄｖａｎｃｅｄ方式において同期ＨＡＲＱ制御を適用することができる。
【００５９】
以上に述べた本実施形態の特徴は、以下のように表現されていてもよい。
【００６０】
本実施形態の第１の特徴は、リレーノードＲＮと移動局ＵＥとの間及びリレーノードＲＮと無線基地局ＤｅＮＢの間で同期ＨＡＲＱ制御を行う移動通信方法であって、リレーノードＲＮが、無線基地局ＤｅＮＢから、所定数（例えば、４個）のサブフレームによって構成される第１期間（例えば、４ｍｓ）内のＭＢＳＦＮサブフレーム（所定サブフレーム）の設定位置を示す設定情報を取得する工程と、リレーノードＲＮが、第１期間において、移動局ＵＥから上りリンク信号を受信する工程と、リレーノードＲＮが、取得した設定情報に基づいて、ＭＢＳＦＮサブフレームにおいて、無線基地局ＤｅＮＢから下りリンク信号を受信する工程と、リレーノードＲＮが、所定数（例えば、４個）のサブフレームからなる第２期間（例えば、４ｍｓ）において、移動局ＵＥに対して下りリンク信号を送信する工程とを有し、アクセスリンク（リレーノードと移動局との間のリンク）において、第１期間及び第２期間は、交互に切り替わり、同期ＨＡＲＱ制御のＲＴＴ（例えば、８ｍｓ）の半分となるように設定されていることを要旨とする。
【００６１】
本実施形態の第１の特徴において、リレーノードＲＮは、無線基地局ＤｅＮＢと間のＲＲＣコネクション設定処理において、無線基地局ＤｅＮＢから、上述の設定情報を取得してもよい。
【００６２】
本実施形態の第１の特徴において、上りリンク信号は、上りリンクデータ（Ｕ）及び下りリンクデータに対する送達確認情報ＡＣＫ/ＮＡＣＫ（ＵＡＮ）であり、下りリンク信号は、下りリンクデータ（Ｄ）、上りリンクデータ及び下りリンクデータの送信のためのリソース割り当て信号（ＵＧ/ＤＡ）及び上りリンクデータに対する送達確認情報ＡＣＫ/ＮＡＣＫ（ＤＡＮ）であってもよい。
【００６３】
本実施形態の第１の特徴において、リレーノードＲＮが、無線基地局ＤｅＮＢから上りリンク用のリソース割り当て信号（ＵＧ）を受信した時点から所定数（例えば、４個）のサブフレームに対応する時間（例えば、４ｍｓ）だけ経過した後に、無線基地局ＤｅＮＢに対して上りリンクデータ（Ｕ）を送信する工程と、移動局ＵＥが、リレーノードＲＮから上りリンク用のリソース割り当て信号（ＵＧ）を受信した時点から所定数（例えば、４個）のサブフレームに対応する時間（例えば、４ｍｓ）だけ経過した後に、リレーノードＲＮに対して上りリンクデータ（Ｕ）を送信する工程とを有してもよい。
【００６４】
本実施形態の第１の特徴において、第１期間の長さ及び第２期間の長さの少なくとも一方は、任意に設定され得てもよい。
【００６５】
本実施形態の第２の特徴は、移動局ＵＥ及び無線基地局ＤｅＮＢとの間で同期ＨＡＲＱ制御を行うように構成されているリレーノードＲＮであって、無線基地局ＤｅＮＢから、上述の設定情報を取得するように構成されているＭＢＳＦＮサブフレーム設定情報取得部１１と、上述の第１期間において、移動局ＵＥから上りリンク信号を受信し、取得した設定情報に基づいて、ＭＢＳＦＮサブフレームにおいて、無線基地局ＤｅＮＢから下りリンク信号を受信するように構成されている受信部１４と、上述の第２期間において、移動局ＵＥに対して下りリンク信号を送信するように構成されている送信部１３とを具備し、送信部１３及び受信部１４は、アクセスリンクにおいて、第１期間及び第２期間を、交互に切り替え、同期ＨＡＲＱ制御のＲＴＴの半分とするように構成されていることを要旨とする。
【００６６】
本実施形態の第２の特徴において、ＭＢＳＦＮサブフレーム設定情報取得部１１は、無線基地局ＤｅＮＢと間のＲＲＣコネクション設定処理において、上述の設定情報を取得してもよい。
【００６７】
本実施形態の第２の特徴において、上りリンク信号は、上りリンクデータ（Ｕ）及び下りリンクデータに対する送達確認情報ＡＣＫ/ＮＡＣＫ（ＵＡＮ）であり、下りリンク信号は、下りリンクデータ（Ｄ）、上りリンクデータ及び下りリンクデータの送信のためのリソース割り当て信号（ＵＧ/ＤＡＮ）及び上りリンクデータに対する送達確認情報ＡＣＫ/ＮＡＣＫ（ＤＡＮ）であってもよい。
【００６８】
本実施形態の第２の特徴において、送信部１３は、無線基地局ＤｅＮＢから上りリンク用のリソース割り当て信号（ＵＧ）を受信した時点から所定数（例えば、４個）のサブフレームに対応する時間（例えば、４ｍｓ）だけ経過した後に、無線基地局ＤｅＮＢに対して上りリンクデータ（Ｕ）を送信するように構成されていてもよい。
【００６９】
なお、上述の移動局ＵＥやリレーノードＲＮや無線基地局ＤｅＮＢの動作は、ハードウェアによって実施されてもよいし、プロセッサによって実行されるソフトウェアモジュールによって実施されてもよいし、両者の組み合わせによって実施されてもよい。
【００７０】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７１】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥやリレーノードＲＮや無線基地局ＤｅＮＢ内に設けられていてもよい。また、かかる記憶媒体及びプロセッサは、ディスクリートコンポーネントとして移動局ＵＥやリレーノードＲＮや無線基地局ＤｅＮＢ内に設けられていてもよい。
【００７２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【符号の説明】
【００７３】
ＵＥ…移動局
ＲＮ…リレーノード
ＤｅＮＢ…無線基地局
１１…ＭＢＳＦＮサブフレーム設定情報取得部
１２、２１…ＭＢＳＦＮサブフレーム設定部
１３、２３…送信部
１４、２４…受信部
２２…ＭＢＳＦＮサブフレーム設定情報通知部
【図１】
2011193246.tif 000003
【図２】
2011193246.tif 000004
【図３】
2011193246.tif 000005
【図４】
2011193246.tif 000006
【図５】
2011193246.tif 000007
【図６】
2011193246.tif 000008
【手続補正書】
【提出日】平成23年3月14日(2011.3.14)
【手続補正１】
【補正対象書類名】特許請求の範囲
【補正対象項目名】全文
【補正方法】変更
【補正の内容】
【特許請求の範囲】
【請求項１】
リレーノードと移動局との間及び該リレーノードと無線基地局の間で同期ＨＡＲＱ制御を行う移動通信方法であって、
前記同期ＨＡＲＱ制御のＲＴＴは、第1期間と第２期間とからなり、
前記リレーノードが、ＭＢＳＦＮとして設定可能なサブフレームのうち、前記第１期間を構成するサブフレームにおいて設定されたＭＢＳＦＮサブフレームにおいて、前記無線基地局から下りリンク信号を受信する工程と、
前記リレーノードが、前記第２期間において、前記移動局に対して下りリンク信号を送信する工程とを有することを特徴とする移動通信方法。
【請求項２】
移動局及び無線基地局との間で同期ＨＡＲＱ制御を行うように構成されているリレーノードであって、
前記同期ＨＡＲＱ制御のＲＴＴは、第1期間と第２期間とからなり、
ＭＢＳＦＮとして設定可能なサブフレームのうち、前記第１期間を構成するサブフレームにおいて設定されたＭＢＳＦＮサブフレームにおいて、前記無線基地局から下りリンク信号を受信するように構成されている受信部と、
前記第２期間において、前記移動局に対して下りリンク信号を送信するように構成されている送信部とを具備することを特徴とするリレーノード。